【事件の表示】
　特願２００７−５１４７３９「白色ＬＥＤおよびそれを用いたバックライト並びに液晶表示装置」拒絶査定不服審判事件〔平成１８年１１月　９日国際公開、ＷＯ２００６／１１８１０４〕について、次のとおり審決する。
【結　論】
　本件審判の請求は、成り立たない。
【理　由】
第１　手続の経緯  　
　本願は、２００６年４月２５日（優先権主張２００５年４月２６日、日本国）を国際出願日とする出願であって、平成２４年４月９日付けで拒絶の理由が通知され、同年６月１１日に手続補正がなされたが、同年１２月１９日付けで拒絶査定がなされ、これに対して、平成２５年３月２１日に拒絶査定不服審判が請求されると同時に手続補正がなされ、その後、当審において、同年１０月２３日付けで拒絶の理由が通知され、同年１２月２４日に手続補正がなされ、さらに、平成２６年１月２１日付けで拒絶の理由（以下「当審拒絶理由」という。）が通知され、同年３月２５日に意見書が提出されたものである。　
　　     
第２　本願発明  
　本願の請求項に係る発明は、平成２５年１２月２４日の手続補正により補正された請求項１ないし７に記載された事項により特定されるとおりのものであるところ、その請求項１に係る発明（以下「本願発明」という。）は、次のとおりのものである。  
          
　「紫外線発光ダイオード、紫色発光ダイオード、紫外線発光レーザおよび紫色発光レーザから選ばれる少なくとも１種の発光素子と、蛍光体層を具備した白色ＬＥＤであって、前記蛍光体層中の緑色蛍光体が一般式１を、青色蛍光体が一般式２または一般式３を、赤色蛍光体が一般式４を満たすものであり、
　前記蛍光体層が、屈折率が１．３〜１．７の透明樹脂材料中に、前記の緑色蛍光体、前記の青色蛍光体および前記の赤色蛍光体が分散されたものである、ことを特徴とする、液晶表示装置のバックライト用白色ＬＥＤ；
＜緑色蛍光体＞
　一般式１：Ｍ１−Ｘ−ＹＣｅＸＴｂＹＢＯ３      　
　（式中、Ｍは、Ｓｃ、Ｙ、Ｌａ、Ｇｄ、Ｌｕから選ばれる少なくとも１種の元素を示し、ｘおよびｙは、０．０３＜ｘ＜０．３、０．０３＜ｙ＜０．３の数を示す）で実質的に表される３価のセリウムおよびテルビウム付活希土類硼化物蛍光体；    　
＜青色蛍光体＞    　
　一般式２：（Ｍ２，Ｅｕ）１０（ＰＯ４）６・Ｃｌ２　  　
　（式中、Ｍ２は、Ｍｇ、Ｃａ、ＳｒおよびＢａから選ばれる少なくとも１種の元素を示す）で実質的に表される２価のユーロピウム付活ハロ燐酸塩蛍光体、または
　一般式３：ａ（Ｍ３，Ｅｕ）Ｏ・ｂＡｌ２Ｏ３　   　
　（式中、Ｍ３は、Ｍｇ、Ｃａ、Ｓｒ、Ｂａ、Ｚｎ、Ｌｉ、ＲｂおよびＣｓから選ばれる少なくとも１種の元素を示し、ａおよびｂは、０＜ａ、０＜ｂ、０．２≦ａ／ｂ≦１．５を満足する数である）で実質的に表される２価のユーロピウム付活アルミン酸塩蛍光体；　
＜赤色蛍光体＞
　一般式４：（Ｌａ１−Ｘ，ＥｕＸ）２Ｏ２Ｓ    　
　（式中、０．０１＜ｘ＜０．１５を満たす数である）で表わされるユーロピウム付活酸硫化ランタン蛍光体。」　
　             
第３　刊行物の記載　　　　　　　  
（１）当審拒絶理由に引用された、本願の優先日前に頒布された刊行物である特開２００４−１６８９９６号公報 （以下「引用文献」という。）には、図とともに以下の記載がある（なお、下線は当審で付した。以下同じ。）。　    　  　
                  
　ア　「【請求項６】
少なくとも約３００〜約４５０ｎｍの範囲に第一のスペクトルを有する光を放出するバックライト光源と、
　１種以上の青色発光蛍光体、１種以上の緑色発光蛍光体及び１種以上の赤色発光蛍光体を含む蛍光体組成物と      　
を含んでなるＬＣＤ用のバックライト装置であって、    　
　
上記１種以上の青色発光蛍光体
上記１種以上の緑色発光蛍光体
上記１種以上の赤色発光蛍光体
　上記蛍光体組成物が、上記第一のスペクトルの少なくとも一部分の光を吸収し、第一のスペクトルとは異なる第二のスペクトルを有する光を放出するように配置されている、バックライト装置。　　
【請求項７】
前記
第二のスペクトルが、約４４０〜４６０ｎｍ、約５５０〜５７０ｎｍ及び約６３０〜６８０ｎｍの波長領域において可視スペクトルの他の１以上の領域よりも高い強度を有する
【請求項８】及び【請求項９】は、省略。    　
【請求項１０】
前記蛍光体組成物を実質的に透明な樹脂中に分散させて混合物を形成し、該混合物から光変換層を形成してＬＣＤのバックライト光源と液晶材料層との間に配置する
【請求項１１】
前記実質的に透明な樹脂が、アクリル樹脂、
エポキシ樹脂
【請求項１２】
前記混合物がさらに光散乱性物質の粒子を含む、請求項１０記載のバックライト装置。
【請求項１３】
前記バックライト光源が１以上の発光ダイオード（「ＬＥＤ」）
【請求項１４】
前記混合物がＬＥＤの発光素子上に配置される
　　　
　イ　「【０００５】
　高い輝度を有するディスプレイ装置を得るため、観察者とは反対側の透明板の後方にバックライト光源が配設される。この目的には、小形蛍光ランプ又は複数の発光ダイオード（「ＬＥＤ」）が通例使用される。広範囲のスペクトルを放出するこのような光源を色フィルターと組み合わせれば、ピクセルを通して特定の光色を透過させることが可能となる。米国特許第５９８２０９２号に開示された一つの白色発光バックライト装置は、３６０〜３８０ｎｍの波長範囲内の青色光又は紫外線（「ＵＶ」）を放出する半導体ＬＥＤを黄色発光Ｙ３Ａｌ５Ｏ１２：Ｃｅ蛍光体と組み合わせたものからなる。しかし、
図１に示す通り、Ｙ
３
Ａｌ
５
Ｏ
１２
：Ｃｅの発光スペクトルは通例使用する色フィルターに固有の波長範囲（約４４０〜４６０ｎｍ、約５５０〜５７０ｎｍ及び約６３０〜６８０ｎｍ）に集中していないので、かかる装置はエネルギー効率が悪い
【特許文献１】米国特許第５９８２０９２号
【発明の開示】
【発明が解決しようとする課題】
【０００６】
　したがって、エネルギー効率に優れるＬＣＤ用バックライト光源を提供することに依然としてニーズが存在する。また、改良カラーＬＣＤ用の蛍光体ブレンドを提供できれば極めて望ましい。
【課題を解決するための手段】
【０００７】
　本発明は、ＬＣＤのバックライト光源用の蛍光体組成物に関する。かかる蛍光体組成物は、
典型的な青色、緑色及び赤色フィルターの波長範囲内で一層強く可視光を放出することでエネルギー利用の改善をもたらす
　
　ウ　「【０００８】
　本発明の蛍光体組成物は、１種以上の青色発光蛍光体、１種以上の緑色発光蛍光体及び１種以上の赤色発光蛍光体を含んでなる。
青色発光蛍光体は
Ｓｒ
４
Ａｌ
１４
Ｏ
２５
：Ｅｕ
２＋
緑色発光蛍光体は
(Ｙ，Ｇｄ，Ｌｕ，Ｓｃ，Ｌａ)ＢＯ
３
：Ｃｅ３
＋
，Ｔｂ
３＋
赤色発光蛍光体は
(Ｇｄ，Ｙ，Ｌｕ，Ｌａ)
２
Ｏ
２
Ｓ：Ｅｕ
３＋
，Ｂｉ
３＋
　　　　　　
　エ　「【００１５】
　本発明の一実施形態では、
ブレンドの蛍光体はその複合発光スペクトルがＬＣＤで使用する色フィルター（例えば、青色、緑色及び赤色フィルター）に固有の波長範囲内で高い強度を示すように選択される。例えば、多くの市販色フィルター材料は４４０〜４６０ｎｍ（青色）、５５０〜５７０ｎｍ（緑色）及び６３０〜６８０ｎｍ（赤色）の波長を有する光を透過するように設計されている
【００１６】
　
図２及び図３は、(Ｓｒ
０．７９
Ｅｕ
０．１
Ｍｎ
０．１
Ｍｇ
０．１１
)
２
Ｐ
２
Ｏ
７
、ＳＥＣＡ及びＭＦＧからなる蛍光体ブレンド並びにＣＡＳＩ、ＳＥＣＡ及びＭＦＧからなる蛍光体ブレンドの発光スペクトルを、青色、緑色及び赤色フィルターの波長範囲と共に示している
これらの蛍光体ブレンドは、約４０５ｎｍの波長の青色発光ＬＥＤで励起した
　         　
　オ　「【００１８】
　
蛍光体ブレンドは実質的に実質的に透明な樹脂中に分散させる
アクリル樹脂、エポキシ樹脂、シリコーン及びシリコーン官能化エポキシ樹脂がある
　
　カ　「【００１９】
　図４は、
バックライト照明用
トレー２５上には、実質的に透明な樹脂中に本発明の蛍光体ブレンドの粒子を分散させてなる光変換シート３０が配設されている
青色、緑色及び赤色領域内に集中した強度を有する可視波長の光を放出する
　　
　キ　図１は、以下のものである（従来技術）。
　 　 　  　　　
　ク　図３は、以下のものである。
　　
　ケ　図４は、以下のものである。
　　　　　　　　            　
（２）引用文献に記載された発明  
　ア　上記（１）アの記載によれば、  
　引用文献には、  
　「少なくとも約３００〜約４５０ｎｍの範囲に第一のスペクトルを有する光を放出する１以上の発光ダイオードと、
　１種以上の青色発光蛍光体、１種以上の緑色発光蛍光体及び１種以上の赤色発光蛍光体を含む蛍光体組成物と      　
を含んでなるＬＣＤ用のバックライト装置であって、   
　
上記１種以上の青色発光蛍光体
Ｓｒ
４
Ａｌ
１４
Ｏ
２５
：Ｅｕ
２＋
　
上記１種以上の緑色発光蛍光体
(Ｙ，Ｇｄ，Ｌｕ，Ｓｃ，Ｌａ)ＢＯ
３
：Ｃｅ３
＋
，Ｔｂ
３＋
　
上記１種以上の赤色発光蛍光体
(Ｇｄ，Ｙ，Ｌｕ，Ｌａ)
２
Ｏ
２
Ｓ：Ｅｕ
３＋
，Ｂｉ
３＋
　上記蛍光体組成物が、
　上記第一のスペクトルの少なくとも一部分の光を吸収し、第一のスペクトルとは異なる、約４４０〜４６０ｎｍ、約５５０〜５７０ｎｍ及び約６３０〜６８０ｎｍの波長領域において可視スペクトルの他の１以上の領域よりも高い強度を有する光を放出するように配置されている、
　バックライト装置。」　
　が記載されているものと認められる。  
     　              
　イ　上記（１）イないしエの記載を踏まえて、図２及び図３を見ると、
　上記アの「第一のスペクトルとは異なる・・・高い強度を有する光」は、
　液晶ディスプレイで使用する色フィルターに固有の波長範囲内のものであることが理解できる。   　
　  　
　ウ　上記（１）ア、オ及びカの記載を踏まえて、図４を見ると、
　上記アの「蛍光体組成物」は、
　実質的に透明なエポキシ樹脂中に分散させて混合物を形成し、混合物から光変換層を形成して発光ダイオードと液晶材料層との間に配置してもよいものと認められる。
　
　エ　上記アないしウから、引用文献には次の発明（以下「引用発明」という。）が記載されていると認められる。　  
        
　「少なくとも約３００〜約４５０ｎｍの範囲に第一のスペクトルを有する光を放出する１以上の発光ダイオードと、
　１種以上の青色発光蛍光体、１種以上の緑色発光蛍光体及び１種以上の赤色発光蛍光体を含む蛍光体組成物と      　
を含んでなるＬＣＤ用のバックライト装置であって、   
　蛍光体組成物を実質的に透明なエポキシ樹脂中に分散させて混合物を形成し、混合物から光変換層を形成して発光ダイオードと液晶材料層との間に配置し、
　上記１種以上の青色発光蛍光体が(Ｓｒ，Ｃａ，Ｂａ，Ｍｇ)１０(ＰＯ４)６(Ｆ，Ｃｌ，Ｂｒ，ＯＨ)：Ｅｕ２＋、(Ｂａ，Ｓｒ，Ｃａ)ＭｇＡｌ１０Ｏ１７：Ｅｕ２＋、(Ｓｒ，Ｃａ)１０(ＰＯ４)６・ｎＢ２Ｏ３：Ｅｕ２＋（式中、０＜ｎ＜１である。）、２ＳｒＯ・０．８４Ｐ２Ｏ５・０．１６Ｂ２Ｏ３：Ｅｕ２＋、Ｓｒ２Ｓｉ３Ｏ８・２ＳｒＣｌ２：Ｅｕ２＋、Ｂａ３ＭｇＳｉ２Ｏ８：Ｅｕ２＋、Ｓｒ４Ａｌ１４Ｏ２５：Ｅｕ２＋、ＢａＡｌ８Ｏ１３：Ｅｕ２＋及びこれらの混合物からなる群から選択され、
　上記１種以上の緑色発光蛍光体が(Ｂａ，Ｓｒ，Ｃａ)ＭｇＡｌ１０Ｏ１７：Ｅｕ２＋，Ｍｎ２＋、(Ｂａ，Ｓｒ，Ｃａ)Ａｌ２Ｏ４：Ｅｕ２＋、(Ｙ，Ｇｄ，Ｌｕ，Ｓｃ，Ｌａ)ＢＯ３：Ｃｅ３＋，Ｔｂ３＋、(Ｂａ，Ｓｒ，Ｃａ)２ＳｉＯ４：Ｅｕ２＋、(Ｂａ，Ｓｒ，Ｃａ)２(Ｍｇ，Ｚｎ)Ｓｉ２Ｏ７：Ｅｕ２＋、(Ｓｒ，Ｃａ，Ｂａ)(Ａｌ，Ｇａ，Ｉｎ)２Ｓ４：Ｅｕ２＋、(Ｙ，Ｇｄ，Ｔｂ，Ｌａ，Ｓｍ，Ｐｒ，Ｌｕ)Ｘ(Ａｌ，Ｇａ，Ｉｎ)ＹＯ１２：Ｃｅ３＋（式中、ｘは約２．８〜３の範囲内にあり、ｙは約４．９〜約５．１の範囲内にある。）、(Ｓｒ，Ｃａ，Ｂａ，Ｍｇ，Ｚｎ)２Ｐ２Ｏ７：Ｅｕ２＋，Ｍｎ２＋、(Ｃａ，Ｓｒ，Ｂａ，Ｍｇ)１０(ＰＯ４)６(Ｆ，Ｃｌ，Ｂｒ，ＯＨ)：Ｅｕ２＋，Ｍｎ２＋、(Ｃａ，Ｓｒ，Ｂａ)８(Ｍｇ，Ｚｎ)(ＳｉＯ４)４(Ｃｌ，Ｆ)２：Ｅｕ２＋，Ｍｎ２＋及びこれらの混合物からなる群から選択され、
　上記１種以上の赤色発光蛍光体が(Ｇｄ，Ｙ，Ｌｕ，Ｌａ)２Ｏ３：Ｅｕ３＋，Ｂｉ３＋、(Ｇｄ，Ｙ，Ｌｕ，Ｌａ)２Ｏ２Ｓ：Ｅｕ３＋，Ｂｉ３＋、(Ｇｄ，Ｙ，Ｌｕ，Ｌａ)ＶＯ４：Ｅｕ３＋，Ｂｉ３＋、ＳｒＳ：Ｅｕ２＋、ＳｒＹ２Ｓ４：Ｅｕ２＋、ＣａＬａ２Ｓ４：Ｃｅ３＋、(Ｃａ，Ｓｒ)Ｓ：Ｅｕ２＋、３．５ＭｇＯ・０．５ＭｇＦ２・ＧｅＯ２：Ｍｎ４＋、(Ｂａ，Ｓｒ，Ｃａ)ＭｇＰ２Ｏ７：Ｅｕ２＋，Ｍｎ２＋及びこれらの混合物からなる群から選択され、    　        　
　上記蛍光体組成物が、
　上記第一のスペクトルの少なくとも一部分の光を吸収し、第一のスペクトルとは異なる、液晶ディスプレイで使用する色フィルターに固有の波長範囲内である、約４４０〜４６０ｎｍ、約５５０〜５７０ｎｍ及び約６３０〜６８０ｎｍの波長領域において可視スペクトルの他の１以上の領域よりも高い強度を有する光を放出するように配置されている、
　ＬＣＤ用のバックライト装置。」　
　　                        
第４　対比・判断  
１　対比　 
　本願発明と引用発明とを対比する。  
（１）引用発明の「発光ダイオード」は本願発明の「発光素子」に相当し、以下同様に、 
　「光変換層」は「蛍光体層」に、
　「青色発光蛍光体」は「青色蛍光体」に、
　「緑色発光蛍光体」は「緑色蛍光体」に、
　「赤色発光蛍光体」は「赤色蛍光体」に、　
　「透明なエポキシ樹脂」は「透明樹脂材料」に、
　「ＬＣＤ」及び「液晶ディスプレイ」は「液晶表示装置」に、それぞれ、相当する。
　    　
（２）引用発明の「発光ダイオード」が、少なくとも約３００〜約４５０ｎｍの範囲に第一のスペクトルを有する光を放出するものであるところ、本願明細書の「発光波長のピーク値が３００〜４３０ｎｍの紫外線発光ダイオードまたは紫色発光ダイオードであると後述の蛍光体と組合せた際に、より高輝度が得られるので好ましい。」（【００３３】）との記載に照らせば、
　引用発明と本願発明とは「紫外線発光ダイオード、紫色発光ダイオード、紫外線発光レーザおよび紫色発光レーザから選ばれる少なくとも１種の発光素子」を具備する点で一致する。  　
　　　　　　       　
（３）本願発明の「白色ＬＥＤ」とは、本願明細書の「出来上がった混合蛍光体を、発光ダイオード上に塗布し、樹脂を固めることにより、白色ＬＥＤを形成することができる。」（【００５０】）との記載に照らせば、発光素子（ＬＥＤ）上に蛍光体層を直接形成したものであると解される。
　してみると、引用発明の「ＬＣＤ用のバックライト装置」と本願発明の「液晶表示装置のバックライト用白色ＬＥＤ」とは「少なくとも１種の発光素子と、蛍光体層を具備した液晶表示装置のバックライト用光源」で共通する。　
　　
（４）以上のことから、本願発明と引用発明とは以下の点で一致する。  
　＜一致点＞
　「紫外線発光ダイオード、紫色発光ダイオード、紫外線発光レーザおよび紫色発光レーザから選ばれる少なくとも１種の発光素子と、蛍光体層を具備した液晶表示装置のバックライト用光源であって、
　前記蛍光体層が、透明樹脂材料中に、緑色蛍光体、青色蛍光体および赤色蛍光体が分散されたものである、液晶表示装置のバックライト用光源。」　
　　　　     
（５）一方で、本願発明と引用発明とは、以下の点で相違する。  
　＜相違点１＞
　透明樹脂材料中に分散される蛍光体の種類に関し、
　本願発明は、緑色蛍光体が「一般式１：Ｍ１−Ｘ−ＹＣｅＸＴｂＹＢＯ３      　
　（式中、Ｍは、Ｓｃ、Ｙ、Ｌａ、Ｇｄ、Ｌｕから選ばれる少なくとも１種の元素を示し、ｘおよびｙは、０．０３＜ｘ＜０．３、０．０３＜ｙ＜０．３の数を示す）で実質的に表される３価のセリウムおよびテルビウム付活希土類硼化物蛍光体」であり、
　青色蛍光体が「一般式２：（Ｍ２，Ｅｕ）１０（ＰＯ４）６・Ｃｌ２　（式中、Ｍ２は、Ｍｇ、Ｃａ、ＳｒおよびＢａから選ばれる少なくとも１種の元素を示す）で実質的に表される２価のユーロピウム付活ハロ燐酸塩蛍光体、または
　一般式３：ａ（Ｍ３，Ｅｕ）Ｏ・ｂＡｌ２Ｏ３　（式中、Ｍ３は、Ｍｇ、Ｃａ、Ｓｒ、Ｂａ、Ｚｎ、Ｌｉ、ＲｂおよびＣｓから選ばれる少なくとも１種の元素を示し、ａおよびｂは、０＜ａ、０＜ｂ、０．２≦ａ／ｂ≦１．５を満足する数である）で実質的に表される２価のユーロピウム付活アルミン酸塩蛍光体」であり、
　赤色蛍光体が「一般式４：（Ｌａ１−Ｘ，ＥｕＸ）２Ｏ２Ｓ    　
　（式中、０．０１＜ｘ＜０．１５を満たす数である）で表わされるユーロピウム付活酸硫化ランタン蛍光体」であるのに対して、
　引用発明は、そのような蛍光体であるか否か不明である点。
　
　＜相違点２＞
　バックライト用光源に関し、　 
　本願発明は、発光素子上に蛍光体層を直接形成した「白色ＬＥＤ」であるのに対して、
　引用発明は、発光ダイオード上に光変換層を直接形成したものであるか否か不明である点。　　
　　    　  　
　＜相違点３＞
　透明樹脂材料の屈折率に関し、
　本願発明は、「１．３〜１．７」であるのに対して、
　引用発明は、屈折率が不明である点。
　　　　　　　       
２　判断 　  
（１）上記＜相違点１＞について検討する。
　ア　引用発明の「光変換層」は、エポキシ樹脂中に、各色発光蛍光体の群から選択した、１種以上の発光蛍光体を分散させることで、約４４０〜４６０ｎｍ、約５５０〜５７０ｎｍ及び約６３０〜６８０ｎｍの波長領域において光を放出するものであるところ、        
　青色発光蛍光体の群に「Ｓｒ４Ａｌ１４Ｏ２５：Ｅｕ２＋」が、緑色発光蛍光体の群に「(Ｙ，Ｇｄ，Ｌｕ，Ｓｃ，Ｌａ)ＢＯ３：Ｃｅ３＋，Ｔｂ３＋」が、赤色発光蛍光体の群に「(Ｇｄ，Ｙ，Ｌｕ，Ｌａ)２Ｏ２Ｓ：Ｅｕ３＋，Ｂｉ３＋」が含まれることに照らせば、
　エポキシ樹脂中に、青色発光蛍光体として「Ｓｒ４Ａｌ１４Ｏ２５：Ｅｕ２＋」を、緑色発光蛍光体として「(Ｙ，Ｇｄ，Ｌｕ，Ｓｃ，Ｌａ)ＢＯ３：Ｃｅ３＋，Ｔｂ３＋」を、赤色発光蛍光体として「(Ｇｄ，Ｙ，Ｌｕ，Ｌａ)２Ｏ２Ｓ：Ｅｕ３＋，Ｂｉ３＋」を、それぞれ分散させることで、約４４０〜４６０ｎｍ、約５５０〜５７０ｎｍ及び約６３０〜６８０ｎｍの波長領域において光を放出させることは、当業者が適宜なし得たことであり、その組合せを妨げる特段の事情も認められない。  　      　
　        　         　
　イ　また、付活剤の多寡が、蛍光体の輝度に影響を与えることが、当業者にとって自明のことであることに照らせば（例えば、当審拒絶理由で引用した特開２００２−１０５４４９号公報の【００２０】ないし【００２２】、特開２０００−１４４１３０号公報の【０００６】ないし【００１１】及び特開昭６１−１４５２７９号公報の第２頁左上欄ないし同頁右上欄を参照。）、付活剤の組成比を「０．１」程度に設定することに格別の困難性は認められない。 　  
       　
　ウ　さらに、上記赤色発光蛍光体の「(Ｇｄ，Ｙ，Ｌｕ，Ｌａ)２Ｏ２Ｓ：Ｅｕ３＋，Ｂｉ３＋」の希土類元素を「Ｌａ」としたユーロピウム付活酸硫化ランタン蛍光体も、当審拒絶理由で引用した特開２００２−３１４１４２号公報（【００８６】を参照。）、特開２００４−３３１９３４号公報（【請求項１】を参照。）及び特開平３−２６９０８５号公報（第２頁左上欄を参照。）に記載されているように、本願の優先日時点で周知であることに照らせば（以下「周知技術１」という。）、
　「(Ｇｄ，Ｙ，Ｌｕ，Ｌａ)２Ｏ２Ｓ：Ｅｕ３＋，Ｂｉ３＋」を「Ｌａ２Ｏ２Ｓ：Ｅｕ３＋，Ｂｉ３＋」とすることに格別の困難性は認められない。
　　
　エ　以上の検討によれば、引用発明において、上記＜相違点１＞に係る本願発明の構成を採用することは、当業者が上記周知技術１に基づいて容易になし得たことである。
　　　　　
（２）上記＜相違点２及び＞及び＜相違点３＞について検討する。　
　ア　発光ダイオード上に、蛍光体組成物を含む屈折率１．５程度の樹脂からなる光変換層を直接形成した白色ＬＥＤが、当審拒絶理由で引用した特開２００４−２２１１６３号公報（【００２６】ないし【００３６】を参照。）、特開２００５−６４１１１号公報（【００２５】を参照。）、特開２００４−３５９７５６号公報（【００４５】を参照。）、特開２００４−３６３５３７号公報（【０１２３】を参照。）及び特開２００１−１１９０６７号公報（【０００７】を参照。）に記載されているように、本願の優先日時点で周知であることに照らせば（以下「周知技術２」という。）、
　引用発明において、屈折率１．５程度のエポキシ樹脂を採用し、発光ダイオード上に光変換層を直接形成することは、当業者が上記周知技術２に基づいて容易になし得たことである。         　
　            　
　イ　上記アのようにした引用発明の「ＬＣＤ用のバックライト装置」は、本願明細書の「出来上がった混合蛍光体を、発光ダイオード上に塗布し、樹脂を固めることにより、白色ＬＥＤを形成することができる。」（【００５０】）との記載に照らせば、「液晶表示装置のバックライト用白色ＬＥＤ」であるといえる。          　
　　       　
　ウ　以上の検討によれば、引用発明において、上記＜相違点２＞及び＜相違点３＞に係る本願発明の構成を採用することは、当業者が上記周知技術２に基づいて適宜なし得たことである。　　　
          
（３）効果
　引用文献の「多くの市販色フィルター材料は４４０〜４６０ｎｍ（青色）、５５０〜５７０ｎｍ（緑色）及び６３０〜６８０ｎｍ（赤色）の波長を有する光を透過するように設計されている。」との記載に照らせば（摘記エ）、引用発明の「ＬＣＤ用のバックライト装置」は、本願発明と同様に、従来のＣＣＦＬ用のカラーフィルタと組合わせて利用できるものである。
　　
（４）まとめ  
　本願発明は、当業者が引用発明及び周知技術に基づいて容易に発明をすることができたものである。　
            　
３　意見書の主張
　請求人は、平成２６年３月２５日付けの意見書において、以下のとおり主張する。
　　
　「引用文献に例示列挙された各種蛍光体群の中から、本願発明に合致するような蛍光体の組合せを選択するには、少なくとも
３００通り以上の蛍光体の組合せを検討する必要があります
　よって、本願発明は、引用発明および公知技術に基づいて当業者が容易に想到できたとは到底言い難い、と請求人は考えます。」（第２頁第４６行ないし第３頁第１行）　
  　　　　 　　　  　
　しかし、引用発明の「ＬＣＤ用のバックライト装置」において、青色発光蛍光体群、緑色発光蛍光体群及び赤色発光蛍光体群の中から、蛍光体を選択する際の組合せが多数であることが、上記２（１）の判断を左右するものとは認められない。
　そして、本願発明の蛍光体の組合せによって、当業者が予測し得ない格別顕著な効果を奏するものであるとも認められない。　
　したがって、請求人の上記主張は、採用できない。
　　　            　
第５　むすび 　 　  
　以上のとおり、本願発明は、当業者が引用文献に記載された発明及び周知技術に基づいて容易に発明をすることができたものであるから、特許法第２９条第２項の規定により特許を受けることができない。 　 　 
    
　よって、結論のとおり審決する。